【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
仮想または拡張現実のための可変焦点合わせ自由形状光学表示システムを用いて立体画像を生成する方法であって、
入力光ビームを光学システムにおいて画像源から受信することと、
前記立体画像に対する少なくとも１つの焦点面の位置決めに部分的または全体的に基づいて、前記入力光ビームのための可変焦点機構の焦点距離を変えることと、
変えられた焦点距離を伴う前記可変焦点機構を使用することによって、前記入力光ビームを自由形状光学機構に伝搬することと、
前記自由形状光学機構を用いて、仮想または拡張現実提示のために前記少なくとも１つの焦点面上に前記立体画像を生成することと
を含む、方法。
【請求項２】
前記入力光ビームを第１の光学を通して１つ以上のビームスプリッタに伝搬することと、
前記１つ以上のビームスプリッタを通して前記可変焦点機構に前記入力光ビームを向け直すことと
をさらに含む、請求項１に記載の方法。
【請求項３】
変えられた焦点距離を伴う前記可変焦点機構を用いて、前記１つ以上のビームスプリッタに戻るように前記入力光ビームを向け直すことと、
前記入力光ビームを前記１つ以上のビームスプリッタから前記自由形状光学機構に伝搬することと
をさらに含む、請求項２に記載の方法。
【請求項４】
前記立体画像に対する１つ以上の焦点面の位置決めに部分的または全体的に基づいて前記可変焦点機構の屈折力を変えることによって、前記可変焦点機構の焦点距離を変更することをさらに含む、請求項１に記載の方法。
【請求項５】
前記自由形状光学表示機構によって生成される立体画像に対する焦点面を変更するための要件を識別することと、
前記要件に部分的または全体的に基づいて、前記可変焦点機構の焦点距離を変えるための１つ以上の制御を提供することと、
前記１つ以上の制御を用いて、前記可変焦点機構の焦点距離を変えられた焦点距離に変えることと
をさらに含む、請求項１に記載の方法。
【請求項６】
前記入力光ビームを前記変えられた焦点距離を伴う前記可変焦点機構から前記自由形状光学機構に伝搬することと、
前記自由形状光学機構を用いて、仮想または拡張現実提示のために前記１つ以上の焦点面上に前記立体画像を生成することと
をさらに含む、請求項５に記載の方法。
【請求項７】
前記立体画像の少なくとも一部を焦点を合わせてレンダリングするための第１の焦点面の第１の焦点距離を決定することと、
遠近調節キューまたは収束キューを固定された焦点距離に結び付けることなく、前記遠近調節キューおよび前記収束キューの両方を前記第１の焦点距離を用いてアドレスすることと、
少なくとも前記自由形状光学機構および前記第１の焦点距離を使用することによって、前記入力光ビームを用いて前記立体画像の前記少なくとも一部をレンダリングすることと
をさらに含む、請求項１に記載の方法。
【請求項８】
前記自由形状光学表示機構の前記可変焦点機構を使用することによって、前記第１の焦点距離をアドレスすることをさらに含む、請求項７に記載の方法。
【請求項９】
前記第１の焦点距離をアドレスする行為は、
前記可変焦点機構内のアドレス可能可変焦点合わせ要素の屈折力を変動させ、前記立体画像の前記少なくとも一部をレンダリングするための前記第１の焦点距離を変更することを含む、請求項８に記載の方法。
【請求項１０】
前記第１の焦点距離をアドレスする行為は、
前記入力光ビームを用いて前記立体画像の前記少なくとも一部を表示するための前記第１の焦点距離に部分的または全体的に部分的または全体的に基づいて、前記第１の焦点面を複数の焦点面から識別することを含む、請求項７に記載の方法。
【請求項１１】
仮想または拡張現実のために立体画像を生成するための可変焦点合わせ自由形状光学表示システムであって、
入力光ビームを光学システムの中に放出する画像源と、
前記立体画像に対する少なくとも１つの焦点面の位置決めに部分的または全体的に基づいて、変えられた焦点距離に変えられる焦点距離を有する可変焦点機構と、
変えられた焦点距離を伴う前記可変焦点機構によって向かわせられた前記入力光ビームを受信し、前記自由形状光学機構を用いて、仮想または拡張現実提示のために前記少なくとも１つの焦点面上に前記立体画像を生成するための自由形状光学機構と
を備える、可変焦点合わせ自由形状光学表示システム。
【請求項１２】
前記画像源から伝搬される前記入力光ビームを受信し、前記入力光ビームを前記可変焦点機構に向け直すための１つ以上のビームスプリッタをさらに備える、請求項１１に記載の可変焦点合わせ自由形状光学表示システム。
【請求項１３】
前記１つ以上のビームスプリッタは、前記入力光ビームを、変えられた焦点距離を伴う前記可変焦点機構に戻るように向け直すためであり、前記入力光ビームは、前記１つ以上のビームスプリッタから前記自由形状光学機構に伝搬される、請求項１２に記載の可変焦点合わせ自由形状光学表示システム。
【請求項１４】
前記立体画像に対する１つ以上の焦点面の位置決めに部分的または全体的に基づいて、前記可変焦点機構の屈折力を変えるための屈折力制御機構をさらに備える、請求項１１に記載の可変焦点合わせ自由形状光学表示システム。
【請求項１５】
前記自由形状光学表示機構によって生成される前記立体画像に対する焦点面を変更するための要件に部分的または全体的に基づいて前記可変焦点機構の焦点距離を変えるために１つ以上の制御を提供するための制御機構をさらに備える、請求項１１に記載の可変焦点合わせ自由形状光学表示システム。
【請求項１６】
前記可変焦点機構は、前記自由形状光学機構と動作可能に結合され、前記入力光ビームを前記変えられた焦点距離を伴う前記可変焦点機構から前記自由形状光学機構に伝搬し、前記自由形状光学機構は、仮想または拡張現実提示のために前記１つ以上の焦点面上に前記立体画像を生成するためである、請求項１５に記載の可変焦点合わせ自由形状光学表示システム。
【請求項１７】
前記立体画像の少なくとも一部を焦点を合わせてレンダリングするための第１の焦点面の第１の焦点距離を決定するための決定機構と、
遠近調節キューまたは収束キューを固定された焦点距離に結び付けることなく、前記第１の焦点距離を用いて前記遠近調節キューおよび前記収束キューの両方をアドレスするための可変焦点機構とを
をさらに備え、
少なくとも、前記自由形状光学機構を使用することは、前記入力光ビームおよび前記第１の焦点距離を用いて、前記立体画像の少なくとも一部をレンダリングするためである、請求項１１に記載の可変焦点合わせ自由形状光学表示システム。
【請求項１８】
光学表示システムであって、
光ビームを放出するように構成された画像源と、
前記画像源に光学的に結合され、前記画像源から受信される光ビームに制御可能な量の屈折力を与えるように構成されている、可変焦点機構と、
前記可変焦点機構に光学的結合され、前記可変焦点機構から受信される光ビームをユーザに向けるように構成されている、視認光学系と、
前記画像源および前記可変焦点機構に通信的に結合された制御回路と
を備え、
前記制御回路は、
複数の異なる焦点面の中から、仮想コンテンツの１つ以上の画像が表示される少なくとも１つの焦点面を識別することと、
前記視認光学系を通して、前記少なくとも１つの識別された焦点面上の仮想コンテンツの前記１つ以上の画像を前記ユーザに表示することと
を行うように構成されており、
仮想コンテンツの前記１つ以上の画像を表示するために、前記制御回路は、それぞれに、
仮想コンテンツの前記１つ以上の画像に対応する光ビームを放出するように前記画像源を制御すことと、
前記少なくとも１つの識別された焦点面に対応する少なくとも１つの量の屈折力を、前記画像源から受信される光ビームに与えるように前記可変焦点機構を制御することと
を同時に行うように構成されている、光学表示システム。
【請求項１９】
前記画像源を前記可変焦点機構に光学的に結合するように構成された１つ以上のビームスプリッタをさらに備える、請求項１８に記載の光学表示システム。
【請求項２０】
前記１つ以上のビームスプリッタは、前記可変焦点機構を前記視認光学系に光学的に結合するように構成されている、請求項１９に記載の光学表示システム。